(57)【特許請求の範囲】
【請求項１】
三相各相の母線と負荷側導体間にそれぞれ相電磁操作遮断器が接続される配電盤において、
前記相電磁操作遮断器は、三相各相毎にそれぞれ独立に接続及び取外しできると共に、前記相電磁操作遮断器には保守用電磁操作遮断器を並列に接続させ得る手段を有し、
電力供給状態で前記保守用電磁操作遮断器が並列に接続された前記相電磁操作遮断器を取外し得る構成とした配電盤。
【請求項２】
三相一回路に対して、少なくとも１台の保守用電磁操作遮断器取付台を備え、前記保守用電磁操作遮断器取付台に取り付けられる前記保守用電磁操作遮断器は、三相各相の前記相電磁操作遮断器のいずれかを選択して並列に接続し得ると共に、接続された前記相電磁操作遮断器を取外し得るように構成した請求項１記載の配電盤。
【請求項３】
前記保守用電磁操作遮断器取付台は、回動自在であり、前記保守用電磁操作遮断器取付台に取つ付けられる前記保守用電磁操作遮断器は前記保守用電磁操作遮断器取付台の回動により三相各相の前記相電磁操作遮断器のいずれかを選択して並列に接続し得ると共に、接続された前記相電磁操作遮断器を取外し得るように構成した請求項２記載の配電盤。
【請求項４】
三相一回路に対して、保守用電磁操作遮断器取付台を備え、前記保守用電磁操作遮断器取付台に取り付けられる前記保守用電磁操作遮断器は、隣接する相の前記相電磁操作遮断器に並列に接続し得ると共に、接続された前記相電磁操作遮断器を取外し得るように構成し、
三相各相毎に相電磁操作遮断器取付台を備え、三相各相毎の前記相電磁操作遮断器取付台に取り付けられた前記相電磁操作遮断器は、三相各相の隣接する相に接続し得ると共に取外し得るように構成した請求項１記載の配電盤。
【請求項５】
前記保守用電磁操作遮断器取付台は回動自在であり、前記保守用電磁操作遮断器取付台に取り付けられる前記保守用電磁操作遮断器は、前記保守用電磁操作遮断器取付台の回動により隣接する相の前記相電磁操作遮断器に並列に接続し得ると共に、接続された前記相電磁操作遮断器を取外し得るように構成し、
三相各相毎の前記相電磁操作遮断器取付台は回動自在であり、三相各相毎の前記相電磁操作遮断器取付台に取つ付けられた前記相電磁操作遮断器は、前記相電磁操作遮断器取付台の回動により三相各相の隣接する相に接続し得ると共に取外し得るように構成した請求項４記載の配電盤。
【請求項６】
前記電磁操作遮断器取付台には、前記電磁操作遮断器を取り付けるに当たって、前記電磁操作遮断器の取り付け角度を規制する規制部材を備えた請求項２〜請求項５のいずれか１項に記載の配電盤。
【請求項７】
前記電磁操作遮断器の取り付け角度を規制する規制部材は、接地された仕切板に設けられた開口部の形状であり、その開口部を回動可能なシールド板で遮蔽することで荷電部側を遮蔽するように構成した請求項６記載の配電盤。
【請求項８】
前記電磁操作遮断器を載置した前記電磁操作遮断器取付台を回動する回動操作手段、前記電磁操作遮断器の開閉動作状態を把握する状態把握装置を備え、前記電磁操作遮断器の動作状態を点検するようにした請求項５記載の配電盤。
【発明の詳細な説明】
【技術分野】
【０００１】
この発明は、電力系統の配電盤に関し、特に電力供給状態で電磁操作遮断器を点検又は交換し得るものに係る。なお、この発明の配電盤には、受電盤も含まれるものとする。
【背景技術】
【０００２】
従来の配電盤の一例では、複数の電気機器を各機器ごとに収納する複数のコンパートメントと、複数のコンパートメント配置の裏面側に設けられ、水平方向に配置された母線を収納する共通ユニットとからなり、前記個別のコンパートメント内電気機器と前記共通ユニット内の母線とが接離可能となっており、個々の電気機器の変更が他の電気機器あるいは母線に互いに影響しない構造となっている（例えば、特許文献１参照）。
【０００３】
【特許文献１】特許第３２０６０７４号公報
【発明の開示】
【発明が解決しようとする課題】
【０００４】
従来の配電盤にあっては、真空遮断器を点検又は交換する場合、一体化した三相遮断器のコンパートメントを引き出す必要があり、遮断器下流の負荷側に停電をとる必要があった。また、遮断器一相分の修理であっても、三相遮断器全体を引き出す必要があるという問題点があった。
この発明は、上記のような問題点を解決するためになされたものであり、負荷側の停電をとらずに電磁操作遮断器を点検又は交換できる配電盤を得ることを目的とする。
【課題を解決するための手段】
【０００５】
この発明に係わる配電盤は、三相各相の母線と負荷側導体間にそれぞれ相電磁操作遮断器が接続される配電盤において、前記相電磁操作遮断器は、三相各相毎にそれぞれ独立に接続及び取外しできると共に、前記相電磁操作遮断器には保守用電磁操作遮断器を並列に接続させ得る手段を有し、電力供給状態で前記保守用電磁操作遮断器が並列に接続された前記相電磁操作遮断器を取外し得る構成としたものである。
【発明の効果】
【０００６】
この発明の配電盤によれば、相電磁操作遮断器には保守用電磁操作遮断器を並列に接続させ得る手段を有し、電力供給状態で保守用電磁操作遮断器が並列に接続された相電磁操作遮断器を取外し得る構成としたので、負荷側の停電をとらずに相電磁操作遮断器を点検又は交換できる。
【発明を実施するための最良の形態】
【０００７】
実施の形態１．
図１はこの発明の実施の形態１の配電盤における電磁操作遮断器の開極状態を示す構成断面図である。図２はその閉極状態を示す構成断面図である。開極状態の電磁操作遮断器１において、電流を入り切りする真空バルブ３は、真空容器の中に開閉接点５が収容されている。開閉接点５は、固定接点５ａとこの固定接点５ａに軸方向である図１の上下方向に所定の間隙を設けて対向配置された可動接点５ｂとを有している。可動接点５ｂには、駆動棒６が固着されている。駆動棒６は、絶縁ロッド７、接圧バネ８およびバネ受け９を介して電磁操作電磁石１０の可動鉄心１６に連結されている。
【０００８】
電磁操作電磁石１０は、閉極用コイル１３、開極用コイル１４、可動鉄心１６を有する。強磁性材料で形成された可動鉄心１６が、閉極用コイル１３および開極用コイル１４の
軸方向の各中央部に軸方向に配置されている。なお、可動鉄心１６の側面で、閉極用コイル１３と開極用コイル１４間の固定鉄心部１５に永久磁石１７が装着されている。電磁操作電磁石１０は絶縁フレーム２０に固定されている。絶縁フレーム２０には、また、真空バルブ３の固定接点５ａ側に電気的に接続された固定側導体２５が固定されている。絶縁フレーム２０には、真空バルブ３の可動接点５ｂ側に可とう導体３０を介して電気的に接続された可動側導体３５が固定されている。可とう導体３０は軸方向に変形できる柔軟性をもつような編素線のようなものである。なお、遮断器は電磁操作遮断器のみならずバネ操作遮断器にも適用可能である。
【０００９】
次に、真空遮断器（電磁操作遮断器）の開閉動作について説明する。図１に示す可動接点５ｂが開極した状態において、駆動電源（図示せず）により電流が閉極用コイル１３に供給される。すると、閉極用コイル１３を流れる電流により可動鉄心１６が軸方向で図１の下方に駆動され、接圧ばね８、絶縁ロッド７および駆動棒６を介して可動接点５ｂを固定接点５ａに接触させて閉極する。このとき、可動接点５ｂが固定接点５ａに接触した後、さらに接圧バネ８が圧縮され接点間の接触圧力が、圧縮された接圧バネ８により確保された状態になり、可動鉄心１６の周囲に装着された永久磁石１７の磁束によりこの状態が維持され、図２に示す閉極状態となる。
【００１０】
この閉極状態において、駆動電源（図示せず）により電流が開極用コイル１４に供給されると、開極用コイル１４を流れる電流により可動鉄心１６が軸方向で図１の上方に駆動される。可動鉄心１６が上方に移動を開始するとき、最初は圧縮されている接圧バネ８が伸びるだけで、可動接点５ｂおよび真空バルブ３側の駆動棒６は移動しない。この後、さらに可動鉄心１６が上方へ移動すると可動接点５ｂ、駆動棒６、接圧バネ８、バネ受け９および可動鉄心１６が一体となって上方へ移動し、可動接点５ｂが固定接点５ａから開離し、この状態が可動鉄心１６の周囲に装着された永久磁石１７の磁束により維持され、開極状態となる。
【００１１】
図３は実施の形態１の配電盤における前面扉を除いて内部を概略的に示す構成配置図である。配電盤の列盤構成４０には電流を通電する母線４５と、三相一回路あたり４台の電磁操作遮断器１（１ａ，１ｂ，１ｃ，１ｄ）を取つ付けることができる電磁操作遮断器取付台５０が備えられており、図において上方の３個の相電磁操作遮断器取付台５０にはそれぞれ相電磁操作遮断器１ａ，１ｂ，１ｃが取り付けられており、母線４５と負荷側導体（図示せず）を電気的に開閉可能な構成となっている。通常運転時には最も下側の保守用電磁操作遮断器取付台５０には保守用電磁操作遮断器１ｄは取り付けられていない。また、縦一列の４台で三相一回路分４６（図３の２点鎖線で囲った部分）を構成しており、二回路構成の配電盤５５を３列とした列盤構成となっている。なお、三相のＡ相，Ｂ相，Ｃ相及び保守用ｄを区別するときは、添え字ａ，ｂ，ｃ，ｄを付けて表している。区別しないときは、添え字を省略している。
【００１２】
図４は実施の形態１の二回路構成の配電盤５５における内部の機器配置の概略構成を示す側面断面図であり、図５はそのＡ−Ａ線における概略正面断面図である。配電盤５５の水平方向に延伸する三相分の水平母線４５は絶縁碍子６０を介して配電盤５５の筐体に固定されている。水平母線４５から垂直方向に延伸された三相分の垂直母線４７が３台の相電磁操作遮断器１ａ，１ｂ，１ｃ近傍の接触子６５にそれぞれ接続されている。垂直母線４７は絶縁碍子４８を介して配電盤５５の筐体に固定されている。接続導体４９は配電盤５５の二回路構成の同相の接触子６５同士を接続する。
【００１３】
３台の相電磁操作遮断器１ａ，１ｂ，１ｃの固定側導体２５はそれぞれ垂直母線４７（接続導体４９）と接触子６５により着脱自在に接続される。３台の相電磁操作遮断器１ａ，１ｂ，１ｃの可動側導体３５はそれぞれ三相負荷側導体（負荷ケーブル）７０と接触子
６６により着脱自在に接続される。負荷側導体７０は、配電盤下部より取り出される。配電盤５５に取り付けられた電磁操作遮断器取付台５０は真空バルブ３側が絶縁支持部材７５に回動自在に取り付けられる。絶縁支持部材７５は配電盤５５の筐体に固定されている。電磁操作遮断器取付台５０の電磁操作電磁石１０側は配電盤５５の仕切板８０に回動自在に取り付けられている。仕切板８０は接地電位となるように構成されている。
【００１４】
図６は実施の形態１における電磁操作遮断器取付台に装着される電磁操作遮断器１の回動方向を示す説明図である。回動方向は電磁操作遮断器１の開閉方向（可動方向）を中心軸として回動する方向である。図６中の矢印方向は回動方向を示す。図７は実施の形態１の配電盤に取つ付けられた電磁操作遮断器取付台５０の配置主要部を示す断面図で、図８のＢ−Ｂ線断面図である。図８は図７の正面図である。図７と図８は電磁操作遮断器１を電磁操作遮断器取付台５０に取つ付ける前を示すものである。電磁操作遮断器取付台５０は絶縁ガイド８５と回動ガイド８７と遮蔽板８８から構成されている。絶縁ガイド８５は絶縁支持部材７５に絶縁軸９０で回動自在に支承されている。
【００１５】
仕切板８０には外側ガイド９５が固定されている。回動ガイド８７と外側ガイド９５及び絶縁軸９０によって電磁操作遮断器取付台５０は回動可能となっている。なお外側ガイド９５と回動ガイド８７は回動をスムースにするためにベアリング等で構成しても良い。シールド板１００により母線４５や負荷ケーブル７０などの荷電部（高電圧部）が遮蔽され見えなくなっている。
【００１６】
図９は実施の形態１における配電盤に取り付けられた電磁操作遮断器取付台を遮蔽板８８とシールド板１００を取り除いて示す正面図であり、電磁操作遮断器取付台５０が電磁操作遮断器１を装着可能な正規位置にあるときを示す。仕切板８０（規制部材）には電磁操作遮断器挿入口１０５が開口されている。電磁操作遮断器挿入口１０５には電磁操作遮断器１から張り出している固定側導体２５および可動側導体３５が通過できる導体通過部１１０が設けられており、電磁操作遮断器取付台５０に電磁操作遮断器１を取り付ける場合の角度を一方向に規制している。
【００１７】
図１０は実施の形態１における配電盤に取り付けられた電磁操作遮断器取付台を遮蔽板８８とシールド板１００を取り除いて示す正面図であり、電磁操作遮断器取付台５０が電磁操作遮断器１を取つ付け不可位置にあるときを示す。仕切板８０の導体通過部１１０位置に回動ガイド８７のくびり８９位置が一致していないので、電磁操作遮断器１を挿入することができないことがわかる。
【００１８】
図１１は実施の形態１の電磁操作遮断器取付台における図８のＣ−Ｃ線断面図で、シールド板１００の取り付け例を示す。シールド板１００はバネ１１５により回動可能で、電磁操作遮断器挿入口１０５を塞いでいる。シールド板１００は金属導体で構成されている。図示しないインタロックによりシールド板１００は閉鎖保持され、電磁操作遮断器１を挿入設置する時のみ開くようにする。
【００１９】
図１２は図１１において、電磁操作遮断器１を挿入設置するときのシールド板１００の様子を示す断面図である。電磁操作遮断器１を押し込むことによって、シールド板１００はバネ１１５に抗して回動し配電盤５５内部に押し込まれて行く。逆に電磁操作遮断器１を抜くときは、バネ１１５により、シールド板１００は電磁操作遮断器挿入口１０５を塞ぐ位置に戻り、図示しないインタロックにより閉鎖保持される。インタロックについては、通常考えられる設計で構成できる。電磁操作遮断器１が配電盤５５内に取り付けられているときは、仕切板８０と同電位であるシールド板１００が高電圧側に向かって配置されるが、通常の絶縁設計で耐圧が持つように盤内を構成すれば良い。
【００２０】
図１３は実施の形態１における接触子６５と接触子６６を示す部分構成図で、配電盤５５の上方からみた図となっている。図１３においては電磁操作遮断器１は配置されていない。接触子６５は接続導体４９に取り付けられている。接触子６６は負荷側導体７０に接続されている。電磁操作遮断器１の固定側導体２５および可動側導体３５はそれぞれ接触子６５と接触子６６の導体挟み込み部１２０に挿入されて電気的な接続を確保する。
【００２１】
図１４は実施の形態１における接触子６５と電磁操作遮断器１との接離を説明する概略構成図で、配電盤５５の正面から見たものである。接続導体４９には、その端部の両側に接触子６５が取り付けられ接続されている。図１４において電磁操作遮断器１は簡略化して示している。電磁操作遮断器１は電磁操作遮断器取付台５０に載置された状態で、電磁操作遮断器取付台５０がその長手方向の回動軸１２５を中心に回動することにより回動する。図１４において、下に示した電磁操作遮断器１は正規の通電位置で、固定側導体２５が接触子６５に接続されている。上に示した電磁操作遮断器１は接触子６５に接続前の状態を示しており、固定側導体２５が接触子６５に接続されていない。
【００２２】
次に電磁操作遮断器の無停電交換・保守について説明する。図１５〜図２１は実施の形態１における電磁操作遮断器の無停電交換・保守の作業工程を順に説明する基本的構成図であり、２点鎖線を境目に（ａ）は正面構成図、（ｂ）はその側面構成図である。図１５で、配電盤の三相一回路において、常時使用している３個の相電磁操作遮断器取付台５０に相電磁操作遮断器１ａ，１ｂ，１ｃを装着し、各相電磁操作遮断器１ａ，１ｂ，１ｃの固定側導体２５を接触子６５に、可動側導体３５を接触子６６にそれぞれ接続し、三相交流通電している。最下部の保守用電磁操作遮断器取付台５０に保守点検のためさらに１台の保守用電磁操作遮断器１ｄを正規挿入位置で挿入装着している。保守用に供する電磁操作遮断器１ｄは開極状態で保守用電磁操作遮断器取付台５０に挿入装着されている。
【００２３】
挿入装着された保守用電磁操作遮断器1ｄは挿入完了後、開極状態のまま回動して、その固定側導体２５が接触子６５に、可動側導体３５が接触子６６にそれぞれ接続される（図１６）。この時、保守用電磁操作遮断器１ｄは開極状態であり電流が流れないため、例えば負荷側遮断器が開極状態のときに母線側上流に配置された断路器を閉じる時に発生するような極微少な放電しか発生せずに接続できる。次に保守用電磁操作遮断器１ｄを閉極する（図１７）。保守用電磁操作遮断器１ｄを閉極したことで、保守用電磁操作遮断器１ｄが接続された接触子６５と接触子６６に接続されていた相電磁操作遮断器１ｃに流れていた電流の一部が保守用電磁操作遮断器1ｄに転流する。
【００２４】
次に、保守用電磁操作遮断器１ｄが接続された接触子６５と接触子６６に接続されていた相電磁操作遮断器１ｃを開極する（図１８）。相電磁操作遮断器１ｃに流れていた電流は、全て保守用電磁操作遮断器１ｄに転流する。次に相電磁操作遮断器１ｃを回動させて、接触子６５と接触子６６から切り離す（図１９）。既に相電磁操作遮断器１ｃは開極されており、電流が流れていないため、放電せずに相電磁操作遮断器１ｃは接触子６５と接触子６６から切り離すことができる。
【００２５】
相電磁操作遮断器１ｃを切り離した状態でも、（母線側）接触子６５と（負荷側）接触子６６の間は閉極した保守用電磁操作遮断器１ｄにより電気的に接続されているため、負荷側の機器（図示せず）に電力が供給でき、本電磁操作遮断器に接続されている負荷側回路を保守点検のために停電させる必要はない。上記のような状態で相電磁操作遮断器１ｃを配電盤５５から取り出し（図２０）、電磁操作遮断器１ｃを細密に点検・保守する。点検終了後、相電磁操作遮断器１ｃを再度挿入し（図２１）、回動させて、Ｂ相（相電磁操作遮断器１ｂ）側に相電磁操作遮断器１ｃを接続する。以降、同様の手順で相電磁操作遮断器１ｂ及び相電磁操作遮断器１ａを次々に、配電盤５５から取り外し細密点検する。
【００２６】
最後の相電磁操作遮断器１ａの点検終了後は、相電磁操作遮断器１ａを配電盤５５に装着し、点検前に相電磁操作遮断器１ａが接続されていた、現時点で相電磁操作遮断器１ｂが接続されている接触子６５と接触子６６に開極状態で接続し、接続完了後、相電磁操作遮断器１ａを閉極する。次に、相電磁操作遮断器１ｂを開極し、（配電盤５５から取り外すことなく）そのままで回動し、点検前に相電磁操作遮断器１ｂが接続されていた、現時点で相電磁操作遮断器１ｃが接続されている接触子６５と接触子６６に開極状態で接続し、接続完了後、相電磁操作遮断器１ｂを閉極する。
【００２７】
次に、相電磁操作遮断器１ｃを開極し、そのまま、点検前に相電磁操作遮断器１ｃが接続されていた、現時点で保守用電磁操作遮断器１ｄが接続されている接触子６５と接触子６６に開極状態で接続し、接続完了後、相電磁操作遮断器１ｃを閉極する。最後に、保守用電磁操作遮断器１ｄを開極し、電磁操作遮断器１の装着・抜き出し可能な正規位置に保守用電磁操作遮断器１ｄを回動し、抜き出すことで常時の配電盤５５の構成に戻す。
【００２８】
以上のように、実施の形態１では、保守用電磁操作遮断器１ｄから相電磁操作遮断器１ａに向かって順に隣接する（母線側）接触子６５と（負荷側）接触子６６に接続閉極、開離を繰り返して、次々に三相分の相電磁操作遮断器１ｃ，１ｂ，１ａを無停電の状態で配電盤５５から取り出すことができるので、負荷側の機器を停止させることなく、保守・点検が可能となる。また、負荷側の機器に対して停電をとる必要がなくなるため、定期点検等でビル・工場などの停電の必要がなくなり、機器の稼働率を向上できる。また、電磁操作遮断器１を配電盤５５に取り付ける際、電磁操作遮断器挿入口１０５の導体通過部１１０により取り付ける場合の角度を一方向に規制しているため、正しい手順以外での電磁操作遮断器１の高電圧部への接触を防止できる。電磁操作遮断器１が点検・修理時に配電盤５５より取り外されている時でもシールド１００が配電盤５５内部の荷電部側（高圧部側）を塞いでいるため、荷電部側の導体が遮蔽され使用者側に見えることは無い。
【００２９】
実施の形態２．
実施の形態１では電磁操作遮断器１を点検・保守して再装着するという運用であったが、その場では、保守済みの電磁操作遮断器１と交換し、工場にて点検・保守するという運用であっても良い。
【００３０】
実施の形態３．
図２２は実施の形態３における配電盤を示す構成図である。図２２において、各電磁操作遮断器１を載置する電磁操作遮断器取付台を回動する回動操作手段としてのモータ１３０がそれぞれ設置されており、ベルト１３５を介して各電磁操作遮断器１を回動させ得る。実施の形態１では三相交流電流を通電するために、常時は３台の相電磁操作遮断器１ａ，１ｂ，１ｃを配電盤５５に設置していたが、実施の形態３では、三相一回路あたり、常時４台の電磁操作遮断器１ａ，１ｂ，１ｃ，１ｄを配電盤５５に設置しており、その中の１台には常時は電流が通電されていない。
【００３１】
各電磁操作遮断器１には例えば国際公開第ＷＯ２００５／１１１６４１Ａ１パンフレットに示されるような技術を用いた状態把握装置１４０がそれぞれ接続してあり、電磁操作遮断器１の動作に伴って、電磁操作遮断器１の状態を把握できるようになっている。モータ１３０の回転と電磁操作遮断器１の駆動と状態把握装置１４０の情報はそれぞれコントロールシステム１４５で制御把握できるようになっている。そして、各電磁操作遮断器１について、その閉極・開極動作条件（速度,時間）が仕様条件を満たしているか、その閉極・開極動作過程における電流波形の変化等を点検する。
【００３２】
上記のような構成では、コントロールシステム１４５で、実施の形態１のとおり、常時は通電していない保守用電磁操作遮断器１ｄから電磁操作遮断器１ａに向かって順番にモ
ータ１３０で回転、隣接する相の母線側接触子および負荷側接触子に接続、電磁操作遮断器１を動作（閉極）させ、次の電磁操作遮断器１を開極させ、隣接する相の母線側接触子および負荷側接触子に接続、電磁操作遮断器１を動作（閉極）させて、状態把握装置１４０で各電磁操作遮断器１の状態をそれぞれ点検することで、無停電で定期的に電磁操作遮断器１の状態を点検できる。
【００３３】
例えば、コントロールシステム１４５をオンラインでサービスセンター等につなげておけば、電磁操作遮断器１の交換が必要な状態を早期に発見でき、負荷側の機器を停止させることなく、交換が可能となるので、配電盤５５の使用者は電磁操作遮断器１に関わる定期的な停電・点検を考慮することなく、負荷側の機器を稼働できるので、設備の稼働率向上に役立つ。
【００３４】
実施の形態４．
図２３は実施の形態４における配電盤を示す側面側から見た配線構成図である。図２４はその正面側から見た配線構成図である。図２３において相電磁操作遮断器１ａ,１ｂ,１ｃの開閉動作方向は垂直方向であり、保守用電磁操作遮断器１ｄの開閉動作方向は水平方向である。三相の母線４５ａ，母線４５ｂ，母線４５ｃは相電磁操作遮断器１ａ,１ｂ,１ｃの固定側導体２５に向かって配線されていると共に、分岐して保守用電磁操作遮断器１ｄの固定側導体２５に向かって保守用母線導体１５０ａ，保守用母線導体１５０ｂ，保守用母線導体１５０ｃが配線されている。
【００３５】
また、負荷側導体（負荷ケーブル）７０ａ，負荷側導体（負荷ケーブル）７０ｂ，負荷側導体（負荷ケーブル）７０ｃは相電磁操作遮断器１ａ,１ｂ,１ｃの可動側導体３５に向かって配線されていると共に、分岐して保守用電磁操作遮断器１ｄの可動側導体３５に向かって保守用負荷側導体１５５ａ，保守用負荷側導体１５５ｂ，保守用負荷側導体１５５ｃが配線されている。保守用電磁操作遮断器１ｄは保守用電磁操作遮断器取付台と共に、実施の形態１のように回動自在に配電盤５５に取り付けられている。保守用電磁操作遮断器１ｄは所定の回動位置で、その固定側導体２５と可動側導体３５がそれぞれの相の保守用母線導体１５０、保守用負荷側導体１５５とに接続される。
【００３６】
図２５は常時に三相交流電流を通電する電磁操作遮断器の取り付け方を示す図である。母線４５に取り付けられた接触子６５と負荷側導体７０に取り付けられた接触子６６に向かって、図２５の水平方向に電磁操作遮断器１を押し込んで、固定側導体２５と可動側導体３５をそれぞれ接触子６５と接触子６６に接続することで配電盤５５に取り付けることができる。相電磁操作遮断器１ａ，１ｂ，１ｃとも同様な構成で取り付けられている。
【００３７】
このような構成の配電盤５５では、所定の回動位置で目的の相の保守用母線導体１５０、保守用負荷側導体１５５に保守用電磁操作遮断器１ｄが接続されることで、目的の相の相電磁操作遮断器を交換することができる。実施の形態１のように次々と各相の相電磁操作遮断器を回動する必要が無く、簡便に無停電で保守・点検できる。保守用電磁操作遮断器１ｄは配電盤５５にあらかじめ備え付けられていても良いし、保守・点検時のみ実施の形態１のように配電盤５５に取り付けてもよい。また、常時、保守用電磁操作遮断器１ｄを配電盤５５に取り付けておけば、実施の形態３と同様の構成とすることで無停電で自動化した動作点検も可能となる。
【００３８】
これまでの実施の形態で明らかにしたように、単相で動作できる電磁操作遮断器１を組み合わせて配電盤５５に組み込むことで、これまでの配電盤よりもフリーレイアウト性も向上でき、目的に応じた受配電設備の構成を確保できる。例えば、実施の形態４では、保守用電磁操作遮断器１ｄは異なった開閉動作方向で設置されている。これまでは、電磁操作遮断器の動作方向は同一にそろった方向であった。また、これまでの実施の形態では配
電盤と記載しているが、受電盤でも同様の効果を確保できることは明らかである。
【図面の簡単な説明】
【００３９】
【図１】この発明の実施の形態１の配電盤における電磁操作遮断器の開極状態を示す構成断面図である。
【図２】図１の閉極状態を示す構成断面図である。
【図３】実施の形態１の配電盤における前面扉を除いて内部を概略的に示す構成配置図である。
【図４】実施の形態１の二回路構成の配電盤における内部の機器配置の概略構成を示す側面断面図である。
【図５】図４のＡ−Ａ線における概略正面断面図である。
【図６】実施の形態１における電磁操作遮断器取付台に装着される電磁操作遮断器の回動方向を示す説明図である。
【００４０】
【図７】実施の形態１の配電盤に取つ付けられた電磁操作遮断器取付台の配置主要部を示すもので、図８のＢ−Ｂ線断面図である。
【図８】図７の正面図である。
【図９】実施の形態１における配電盤に取り付けられた電磁操作遮断器取付台を遮蔽板とシールド板を取り除いて示す正面図である。
【図１０】実施の形態１における配電盤に取り付けられた電磁操作遮断器取付台を遮蔽板とシールド板を取り除いて示す正面図である。
【図１１】実施の形態１の電磁操作遮断器取付台における図８のＣ−Ｃ線断面図である。
【図１２】図１１において、電磁操作遮断器を挿入設置するときのシールド板の様子を示す断面図である。
【００４１】
【図１３】実施の形態１における接触子を示す部分構成図である。
【図１４】実施の形態１における接触子と電磁操作遮断器との接離を説明する概略構成図である。
【図１５】実施の形態１における電磁操作遮断器の無停電交換・保守の作業工程を順に説明する構成図であり、（ａ）は正面構成図、（ｂ）はその側面構成図である。
【図１６】図１５の次の作業工程を示す図である。
【図１７】図１６の次の作業工程を示す図である。
【図１８】図１７の次の作業工程を示す図である。
【００４２】
【図１９】図１８の次の作業工程を示す図である。
【図２０】図１９の次の作業工程を示す図である。
【図２１】図２０の次の作業工程を示す図である。
【図２２】実施の形態３における配電盤を示す構成図である。
【図２３】実施の形態４における配電盤を示す側面側から見た配線構成図である。
【図２４】図２３の正面側から見た配線構成図である。
【図２５】実施の形態４における三相交流電流を通電する電磁操作遮断器の取り付け方を示す図である。
【符号の説明】
【００４３】
１  電磁操作遮断器                      １ａ,１ｂ,１ｃ  相電磁操作遮断器
１ｄ  保守用電磁操作遮断器              ３  真空バルブ、
５  開閉接点                            ５ａ  固定接点
５ｂ  可動接点                          ６  駆動棒
７  絶縁ロッド                          ８  接圧バネ
９  バネ受け                          １０  電磁操作電磁石
１３  閉極用コイル                      １４  開極用コイル
１５  固定鉄心部                        １６  可動鉄心
【００４４】
１７  永久磁石                          ２０  絶縁フレーム
２５  固定側導体                        ３０  可とう導体
３５  可動側導体                        ４５  水平母線
４７  垂直母線                          ４８  絶縁碍子
４９  接続導体                          ５０  電磁操作遮断器取付台
５５  配電盤                            ６０  絶縁碍子
６５  接触子                            ６６接触子
７０  負荷側導体                        ７５  絶縁支持部材
【００４５】
８０  仕切板                            ８５  絶縁ガイド
８７  回動ガイド                        ８８  遮蔽板
９０  絶縁軸                            ９５  外側ガイド
１００  シールド板                      １０５  電磁操作遮断器挿入口
１１０  導体通過部                      １１５  バネ
１２０  導体挟み込み部                  １２５  回動軸
１３０  モータ                          １３５  ベルト
１４０  状態把握装置                    １４５  コントロールシステム
１５０  保守用母線導体                  １５５  保守用負荷側導体
【図１】
0005033044.tif 000002
【図２】
0005033044.tif 000003
【図３】
0005033044.tif 000004
【図４】
0005033044.tif 000005
【図５】
0005033044.tif 000006
【図６】
0005033044.tif 000007
【図７】
0005033044.tif 000008
【図８】
0005033044.tif 000009
【図９】
0005033044.tif 000010
【図１０】
0005033044.tif 000011
【図１１】
0005033044.tif 000012
【図１２】
0005033044.tif 000013
【図１３】
0005033044.tif 000014
【図１４】
0005033044.tif 000015
【図１５】
0005033044.tif 000016
【図１６】
0005033044.tif 000017
【図１７】
0005033044.tif 000018
【図１８】
0005033044.tif 000019
【図１９】
0005033044.tif 000020
【図２０】
0005033044.tif 000021
【図２１】
0005033044.tif 000022
【図２２】
0005033044.tif 000023
【図２３】
0005033044.tif 000024
【図２４】
0005033044.tif 000025
【図２５】
0005033044.tif 000026